(57)【要約】【課題】録画したデジタル放送コンテンツをポータブル型再生装置に転送する方式において、高画質・高音質コンテンツの持ち出しと、短時間でのコンテンツ持ち出しを両立する転送方法を提供すること。【解決手段】据え置き型録画装置で地上デジタル放送を録画する際に、１２セグメントコンテンツだけでなく、サイマル放送されている１セグメントコンテンツも蓄積しておく。ポータブル型再生装置が据え置き型録画装置に接続された際に、始めに１セグメントコンテンツを全て転送し、その後１２セグメントコンテンツを転送する。これにより、１セグメントコンテンツが転送し終わった時点で、据え置き型録画装置と同じコンテンツが全てポータブル型再生装置でも再生可能になる。更に時間をかけて転送を続ければ、より高画質・高音質のコンテンツが再生可能になる。【選択図】図２
2009177567.tif 000002
【特許請求の範囲】
【請求項１】
デジタルテレビジョン放送により配信される第１のコンテンツと、該第１のコンテンツより帯域幅の狭い放送で配信される第２のコンテンツを蓄積する録画機において、
前記第１のコンテンツと第２のコンテンツを蓄積するコンテンツ蓄積部と、
前記第１のコンテンツと第２のコンテンツを外部へ送信するコンテンツ送信部とを備え、
前記コンテンツ送信部は前記第１のコンテンツより先に第２のコンテンツを外部へ送信することを特徴とする録画機。
【請求項２】
請求項１に記載の録画機において、前記第１のコンテンツと第２のコンテンツの関連性の大きさを計測するコンテンツ判断部を備え、
前記コンテンツ判断部が計測した前記関連性の大きさが所定以上の際に、前記コンテンツ送信部は前記第１のコンテンツより先に第２のコンテンツを外部へ送信することを特徴とする録画機。
【請求項３】
請求項１乃至２のいずれかに記載の録画機において、
前記第１のコンテンツは地上デジタルテレビジョン放送において１２セグメントの帯域幅で配信される放送コンテンツであり、
前記第２のコンテンツは地上デジタルテレビジョン放送において１セグメントの帯域幅で配信される放送コンテンツであることを特徴とする録画機。
【請求項４】
請求項１乃至２のいずれかに記載の録画機において、
前記コンテンツ送信部からのコンテンツ送信状況を示す情報を表示する表示部を備えたことを特徴とする録画機。
【請求項５】
デジタルテレビジョン放送により配信される第１のコンテンツと該第１のコンテンツより帯域幅の狭い放送で配信される第２のコンテンツを蓄積する録画機と、該録画機からコンテンツを受信して再生する再生機とを具備するコンテンツ転送システムにおいて、
前記録画機は、前記第１のコンテンツと第２のコンテンツを蓄積するコンテンツ蓄積部と、
前記再生機へ前記第１のコンテンツと第２のコンテンツを送信するコンテンツ送信部と、を備え、
前記再生機は、前記録画機からコンテンツを受信するコンテンツ受信部と、
前記コンテンツ受信部で受信したコンテンツを蓄積する受信コンテンツ蓄積部とを備え、
前記コンテンツ送信部は前記第１のコンテンツより先に第２のコンテンツを前記コンテンツ受信部へ送信することを特徴とするコンテンツ転送システム。
【請求項６】
請求項５に記載のコンテンツ転送システムにおいて、
前記録画機は、前記第１のコンテンツと第２のコンテンツの関連性の大きさを計測するコンテンツ判断部とを更に備え、
前記コンテンツ判断部が計測した前記関連性の大きさが所定以上の際に、前記コンテンツ送信部は前記第１のコンテンツより先に第２のコンテンツを前記再生機へ送信することを特徴とするコンテンツ転送システム。
【請求項７】
請求項５乃至６のいずれかに記載のコンテンツ転送システムにおいて、
前記第１のコンテンツは地上デジタルテレビジョン放送において１２セグメントの帯域幅で配信される放送コンテンツであり、
前記第２のコンテンツは地上デジタルテレビジョン放送において１セグメントの帯域幅で配信される放送コンテンツであることを特徴とするコンテンツ転送システム。
【請求項８】
請求項５乃至６のいずれかに記載のコンテンツ転送システムにおいて、
前記録画機は、該録画機から前記再生機へのコンテンツ転送状況を示す情報を出力する表示部を備えることを特徴とするコンテンツ転送システム。
【請求項９】
請求項５乃至６のいずれかに記載のコンテンツ転送システムにおいて、
前記再生機は、前記録画機から該再生機へのコンテンツ転送状況を示す情報を出力する表示部を備えることを特徴とするコンテンツ転送システム。
【発明の詳細な説明】
【技術分野】
【０００１】
本発明は、デジタル放送を録画、蓄積する録画機と、該録画機に蓄積されたデジタル放送（コンテンツ）を再生機へ転送するコンテンツ転送システムに関するものである。
【背景技術】
【０００２】
デジタル放送の１つの方式として、１チャンネル分の帯域の中で複数の伝送方式による放送を可能にするものがあり、日本の地上デジタル放送等に用いられている。具体的には、１チャンネル分の帯域を１３のセグメントにわけて、そのうち１２セグメントを用いて伝送レートは大きいが移動受信には弱い伝送方式による放送を、残りの１セグメントを利用して伝送レートは小さいが移動受信に強い伝送方式による放送をおこなうことができる。この方式により、１２セグメント放送で家庭内の据え置き型受信機向けにハイビジョン映像番組を提供し、同時に１セグメント放送でポータブル型受信機向けに画質や音質を落とした番組を提供することができる。
【０００３】
現在の日本の地上デジタル放送では、１２セグメント放送と１セグメント放送で同一の番組を放送するサイマル放送が行われており、据え置き型の受信機では１２セグメント放送のみを受信し、ポータブル型受信機では１セグメント放送のみを受信するのが一般的となっている。カーナビゲーションシステムなどの車載型の地上デジタル放送受信機では、１２セグメント放送と１セグメント放送を両方受信できる装置もあり、受信状況に応じて１２セグメント放送と１セグメント放送を切り替える機能を有している。
【０００４】
一方で、据え置き型のデジタル放送録画機で１２セグメント放送を受信し、ポータブル型の再生機に転送して再生する視聴方法も知られている。ポータブル型の再生機は放送番組等を記録する蓄積メディアの容量が据え置き型のデジタル放送録画機と比較して小さく、表示ディスプレイも数インチ程度であるのが一般的なので、ハイビジョン映像のままではなく、画質や音質を落としてサイズを小さくするダウンコンバートと呼ぶ処理を加えてサイズを縮小したコンテンツを転送するのが普通である。
【０００５】
また、据え置き型のデジタル放送録画機で、１２セグメント放送と１セグメント放送を両方録画しておき、１２セグメント放送は据え置き型のデジタル放送録画機に残したまま、１セグメント放送をポータブル型の再生機に転送する装置（特許文献１）が知られている。
【特許文献１】特開２００７−０９７１２１号公報
【発明の開示】
【発明が解決しようとする課題】
【０００６】
しかしながら、ポータブル型再生機においてディスプレイの高精細化や蓄積メディアの高密度化が進み、ハイビジョン映像などの高品質なコンテンツを持ち出して再生したいという要望が強まっている。その一方で、ハイビジョン放送のように高画質・高音質のコンテンツは一般に大容量となり、転送に要する時間も膨大になってしまう。
【０００７】
本発明は、従来の問題を解決するためになされたもので、高画質・高音質の映像コンテンツの持ち出しと、短時間でのコンテンツの持ち出しを両立するコンテンツ転送システムを提供することを目的とする。
【課題を解決するための手段】
【０００８】
上記の課題を解決するための手段として本発明は、デジタルテレビジョン放送により配信される第１のコンテンツと、該第１のコンテンツより帯域幅の狭い放送で配信される第２のコンテンツを蓄積する録画機において、前記第１のコンテンツと第２のコンテンツを蓄積するコンテンツ蓄積部と、前記第１のコンテンツと第２のコンテンツを外部へ送信するコンテンツ送信部とを備え、前記コンテンツ送信部は前記第１のコンテンツより先に第２のコンテンツを外部へ送信することを特徴とする録画機である。
【０００９】
また、デジタルテレビジョン放送により配信される第１のコンテンツと該第１のコンテンツより帯域幅の狭い放送で配信される第２のコンテンツを蓄積する録画機と、該録画機からコンテンツを受信して再生する再生機とを具備するコンテンツ転送システムにおいて、前記録画機は、前記第１のコンテンツと第２のコンテンツを蓄積するコンテンツ蓄積部と、前記再生機へ前記第１のコンテンツと第２のコンテンツを送信するコンテンツ送信部と、を備え、前記再生機は、前記録画機からコンテンツを受信するコンテンツ受信部と、前記コンテンツ受信部で受信したコンテンツを蓄積する受信コンテンツ蓄積部とを備え、前記コンテンツ送信部は前記第１のコンテンツより先に第２のコンテンツを前記コンテンツ受信部へ送信することを特徴とするコンテンツ転送システムでもある。
【発明の効果】
【００１０】
本発明は、短時間で据え置き型録画装置に録画した地上デジタル放送コンテンツをポータブル型再生装置でも再生可能になるという効果を有する。
【発明を実施するための最良の形態】
【００１１】
本発明に係るコンテンツ転送システムを実施するための最良の形態は、図１乃至図９で示される。
【００１２】
＜システム構成＞
本実施の形態に係るコンテンツ転送システムの構成は、図１で示されるように、据え置き型録画装置１（録画機）とポータブル型再生装置２（再生機）からなる。据え置き型録画装置１とポータブル型再生装置２を後述の転送インターフェースで接続し、コンテンツ転送をおこなう。ここでコンテンツ転送とは、据え置き型録画装置１に蓄積されたコンテンツを残したままポータブル型再生装置２にも複製を作成する「コピー」、据え置き型録画装置１の放送コンテンツを削除して、ポータブル型再生装置２に移動する「ムーブ」のいずれの方法も含まれる。
【００１３】
＜据え置き型録画装置１（録画機）のハードウェア構成＞
本実施の形態に係る据え置き型録画装置１（録画機）のハードウェア構成は、図２で示される。据え置き型録画装置１は、ＣＰＵ２１、ＲＯＭ２２、ＲＡＭ２３、ＨＤＤ２４、映像ＩＣ２５、音声ＩＣ２６、チューナ２７、転送インターフェース２８、入力デバイス２９、出力デバイス３０を備えている。これらのデバイスは、バス等で接続されている。
【００１４】
ＣＰＵ２１は据え置き型録画装置１全体を制御する。ＣＰＵ２１はＲＯＭ２２（後述）に格納されているプログラムを読み出し、ＲＡＭ２３（後述）の記憶領域を用いることで、読み出したプログラムを実行し、他の機能ブロックを制御する。
【００１５】
ＲＯＭ２２には、据え置き型録画装置１の起動に必要な基本プログラム（例えば、ＢＩＯＳ）が記憶されているほか、デジタル放送番組録画の各種アプリケーションプログラムが格納されている。また、本発明の処理に必要なデジタル放送録画プログラムやコンテンツ転送プログラムも格納されている。
【００１６】
ＲＡＭ２３には、各種プログラムや各種データ等が展開される領域、チューナ２７（後述）から出力されたＴＳ（Ｔｒａｎｓｐｏｒｔ  Ｓｔｒｅａｍ）、ＣＰＵ２１や映像ＩＣ２５、音声ＩＣ２６（後述）などの処理で得られた中間データや出力データが記憶される領域などが設けられている。
【００１７】
ＨＤＤ２４には、ＣＰＵ２１上で実行されるデジタル放送番組録画プログラムにより録画された番組のＴＳがファイル形式で格納されている。また録画コンテンツの管理データも格納されている。本実施の形態では蓄積メディアをＨＤＤとしたが、フラッシュメモリなど他のメディアでもよい。ＤＶＤディスクやＳＤメモリーカードなどのような外部メディアに蓄積するものとしてもよい。また、ＨＤＤ２４に記録されるデータはＴＳ以外の形式であってもよい。例えば、ＰＳ（Ｐｒｏｇｒａｍ  Ｓｔｒｅａｍ），ＰＥＳ（Ｐａｃｋｅｔｉｚｅｄ  Ｅｌｅｍｅｎｔａｒｙ  Ｓｔｒｅａｍ）、ＥＳ（Ｅｌｅｍｅｎｔａｒｙ  Ｓｔｒｅａｍ）等のいずれの形式でも格納が可能である。本発明において、蓄積メディアに記録するファイル形式は特定のフォーマットに限定するものではない。
【００１８】
映像ＩＣ２５は映像データのデコードや出力のための変換などの機能を有する。音声ＩＣ２６は音声データのデコードや出力のための変換などの機能を有する。なお、ここでは、映像ＩＣ２５、音声ＩＣ２６を独立したハードウェア構成としてが、これらの機能を単一のハードウェアとして構成したり、これら機能の一部または全てをソフトウェア等によりＣＰＵ２１で実現することも可能である。
【００１９】
チューナ２７は、本実施の形態では、デジタル放送を受信、復調してＴＳを出力する。
【００２０】
転送インターフェース２８は外部機器との間でデータ通信を行うものである。転送インターフェースは、接続された機器との間でデータ通信が可能であればその方式を問わない。例えば、シリアルインターフェース、ＵＳＢ、ＩＥＥＥ１３９４、Ｅｔｈｅｒｎｅｔ（登録商標）などの有線インターフェースや、Ｂｌｕｅｔｏｏｔｈ、無線ＬＡＮなどの無線インターフェースが使用可能である。
【００２１】
入力デバイス２９は、外部から据え置き型録画装置１を制御するために利用するもので、リモコンの信号を受ける赤外線受光部、ボタンなどが好適である。
【００２２】
出力デバイス３０は、装置の状態や映像・音声を提示するために利用するもので、ＬＥＤ、ディスプレイ、スピーカなどが好適である。ディスプレイ、スピーカの代わりに映像出力端子、音声出力端子を備えている場合もある。ディスプレイには、再生した映像コンテンツや、後述するポータブル型再生装置へのコンテンツ転送状況（転送の進捗状況や、転送完了情報等）を示す情報を表示することが可能である。
【００２３】
＜ポータブル型再生装置２（再生機）のハードウウェア構成＞
本実施の形態に係るポータブル型再生装置２（再生機）のハードウェア構成は、図３で示される。ポータブル型再生装置２は、ＣＰＵ３１、ＲＯＭ３２、ＲＡＭ３３、ＨＤＤ３４、映像ＩＣ３５、音声ＩＣ３６、転送インターフェース３７、入力デバイス３８、出力デバイス３９を備えている。これらのデバイスは、バス等で接続されている。ポータブル型再生装置２の構成は、チューナがない他は基本的に据え置き型録画装置１の構成と同様であるので、同じ部分については説明を省略する。
【００２４】
＜放送コンテンツ録画処理＞
本実施の形態に係る放送コンテンツ録画処理は据え置き型録画装置１（録画機）にて実行される。具体的には、据え置き型録画装置１のＣＰＵ２１がＲＯＭ２２からＲＡＭ２３に展開された放送コンテンツ録画プログラムを実行する。実行条件は、利用者が録画ボタンを押下した場合や、あらかじめ録画予約された時間になった場合である。
【００２５】
本実施の形態に係る放送コンテンツ録画処理の流れは、図４で示される。まず、ステップＳ４１で録画対象となっているチャンネルの属する放送波が何であるかチェックする。放送波としては地上デジタル放送、地上アナログ放送、ＢＳデジタル放送、ＣＳデジタル放送などがある。このうち、サイマル放送がおこなわれているのは地上デジタル放送だけであるので、事前にチェックをおこなう。地上デジタル放送以外の場合はステップＳ４２に進み、ＴＳから録画対象コンテンツを抽出してＨＤＤ２４に蓄積する。
【００２６】
地上デジタル放送の場合、ステップＳ４３に進み、録画対象コンテンツ(１２セグ)をＴＳから抽出してＨＤＤ２４に蓄積する。
【００２７】
次に、ステップＳ４４に進み、録画対象コンテンツと同番組が１セグでサイマル放送されているかチェックする。同番組であるかの判定は、ＴＳに含まれるＳＩ情報で取得した番組タイトル、番組開始終了時間、番組情報が一致するかどうか等でチェックすることが可能である。また、番組の字幕ストリームを一定時間解析し、字幕内容が一致するかにより同番組か判断することもできる。これ以外にも、音声信や映像信号を分析することで１２セグと１セグのコンテンツ内容の同一性を判断することも可能である。サイマル放送されている場合、ステップＳ４５に進み、ＴＳから１セグサイマル放送を抽出してＨＤＤ２４に蓄積する。
【００２８】
ＨＤＤ２４には放送コンテンツ以外に、放送コンテンツを管理するための管理データも蓄積する。管理データを図５に例示する。放送コンテンツのタイトル、チャンネル、録画時間の他に、ジャンル、視聴済みかを示すフラグ、１セグも蓄積されているかを示すフラグ、などの情報も管理する。
【００２９】
＜コンテンツ転送処理＞
本実施の形態に係るコンテンツ転送処理の機能ブロック図を図６に示す。
【００３０】
据え置き型録画装置１（録画機）は、蓄積部６１、コンテンツ判断部６２、転送部６３、送信完了表示部６４からなる。
【００３１】
コンテンツ蓄積部６１には、放送コンテンツ録画処理で記録されるコンテンツやその管理データが記録される。
【００３２】
コンテンツ判断部６２では、コンテンツ蓄積部６１に記録する、若しくは記録されている１２セグと１セグのコンテンツの同一性について判断する。ここで同一性の判断とは、１２セグと１セグのコンテンツとしての内容の関連性の大きさ（強さ）を測り、その大きさ（強さ）の程度に従って同一性の有無を判断するものである。また、この関連性の大きさ（強さ）の計測や関連性の有無の判断は、対象とするコンテンツの種類等又は受信する放送局等によって変えてもよい。
【００３３】
コンテンツ送信部６３は、ポータブル型再生装置２へコンテンツを蓄積部６１に記録されているコンテンツ等を出力する。コンテンツを転送するタイミングは、ポータブル型再生装置２から据え置き型録画装置１へ転送要求があった場合でも、据え置き型録画装置１にポータブル型再生装置２が接続されたことを、据え置き型録画装置１が検出した場合でもよい。据え置き型録画装置１は、通常、１２セグコンテンツに先立って１セグコンテンツをポータブル型再生装置２へ転送する。
【００３４】
表示部６４は、コンテンツ転送部６３から１２セグ又は１セグのコンテンツをポータブル型再生装置２へ転送する際の転送状況に関わる情報を取得し、表示する。例えば、転送量全体に占める既転送データ量の比率や、１セグコンテンツ、１２セグコンテンツそれぞれの転送完了を示す情報等が表示される。
【００３５】
一方、ポータブル型再生装置２側は、コンテンツ受信部６５、受信コンテンツ蓄積部６６、表示部６７からなる。
【００３６】
コンテンツ受信部６５は、据え置き型録画装置１にコンテンツの転送要求を送信し、送信されたデータを受信する。
【００３７】
受信コンテンツ蓄積部６６は、コンテンツ受信部６５で受信したコンテンツをＨＤＤ３４にファイル形式で蓄積し、蓄積されたコンテンツを管理する。
【００３８】
表示部６７は、転送完了時にコンテンツ受信部６５から受信する１２セグ又は１セグのコンテンツ受信状況にかかわる情報を取得し、表示する。例えば、転送量全体に占める既受信データ量の比率や、１セグコンテンツ、１２セグコンテンツそれぞれ又は両者の受信完了を示す情報等が表示される。
【００３９】
コンテンツ転送処理は、ポータブル型再生装置２にて開始される。具体的には、ＣＰＵ３１がＲＯＭ３２からＲＡＭ３３に展開されたコンテンツ転送プログラム等を実行する。実行条件は、転送インターフェース３８に据え置き型録画装置１が接続された場合である。
【００４０】
転送するコンテンツの選択は、様々な形態が考えられる。据え置き型録画装置１とポータブル型再生装置２との間でコンテンツのリストを交換し、ポータブル型再生装置２に存在しないコンテンツのみ転送するとしても良いし、据え置き型録画装置１に蓄積されたコンテンツの中で視聴されていないもののみ転送するようにしても良い。据え置き型録画装置１のコンテンツリストをポータブル型再生装置２のディスプレイに表示し、利用者に選択させるようにしても良い。本実施の形態では簡略化のためあらかじめ指定されたコンテンツを複数個転送するものとして説明する。
【００４１】
本実施の形態に係るコンテンツ転送処理の流れは、図７で示される。まず、ステップＳ７１で、据え置き型録画装置１に対して転送対象に指定したコンテンツのコンテンツ分類取得を要求する。据え置き型録画装置１は転送対象のコンテンツを、地上デジタル放送の録画コンテンツで１２セグと１セグが両方蓄積されているコンテンツ(１セグ「有」)と、それ以外のコンテンツ(１セグ「無」)に分類し、それぞれのリストを送信する。１セグ「無」に分類されるコンテンツの例としては、衛星デジタル放送の番組のように携帯受信機向けサイマル放送がされていないもの、地上デジタル放送の録画コンテンツで１３セグメントを全て使用した番組や１セグ放送でのサイマル放送がなされていない番組などが考えられる。
【００４２】
次に、ステップＳ７２で、１セグ「有」コンテンツの数だけ、据え置き型録画装置１に対して１セグコンテンツの取得を要求する。据え置き型録画装置１は要求された１セグコンテンツをポータブル型再生装置２に転送する。
【００４３】
次に、ステップＳ７３で、１セグ「無」コンテンツの数だけ、据え置き型録画装置１に対して１セグ「無」コンテンツの取得を要求する。据え置き型録画装置１は要求されたコンテンツをポータブル型再生装置２に転送する。ここで転送するコンテンツは、地上デジタル放送であれば１２セグコンテンツであり、衛星デジタル放送であれば当該番組のコンテンツである。
【００４４】
ここまでの処理が終了すると、転送すべき全てのコンテンツについて転送対象となったコンテンツのデータがポータブル型再生装置２に転送される。すなわち、ポータブル型再生装置２を切り離してスタンドアローンで使用しても全てのコンテンツが視聴できる状態になる。
【００４５】
ここで図８に示すように、ポータブル型再生装置２のディスプレイやＬＥＤなどの出力デバイス２０を用いて第１段階の転送が終了したことを利用者に提示する。
【００４６】
さらにポータブル型再生装置２を接続し続けると、ステップＳ７４で、１セグ「有」コンテンツの数だけ、据え置き型録画装置１に対して１２セグコンテンツの取得を要求する。据え置き型録画装置１は要求された１２セグコンテンツをポータブル型再生装置２に転送する。１２セグコンテンツが転送された後は１セグコンテンツが不要になるため、ステップＳ７５でポータブル型再生装置２上の１セグコンテンツを消去する。
【００４７】
以上の処理で転送すべき全てのコンテンツが高画質・高音質のコンテンツとなる。ここで、図９に示すように、ポータブル型再生装置２のディスプレイやＬＥＤなどの出力デバイス３９を用いてコンテンツの転送が完全に終了したことを利用者に提示する。
【００４８】
本実施の形態では、１２セグと１セグの両方を蓄積したコンテンツについて、必ず１セグコンテンツを先に転送してから１２セグコンテンツを転送するようにしたが、番組のジャンルに応じて、転送方法を変えても良い。例えばニュースの場合、１セグコンテンツのみ転送し、１２セグコンテンツを転送しないようにしたり、映画の場合、１セグコンテンツを転送せず、始めから１２セグコンテンツを転送したりといった転送方法が考えられる。また、ジャンルごとの転送方法はポータブル型再生装置２で利用者により設定可能にするのが好ましい。この場合には、コンテンツの内容にしたがったコンテンツの転送が可能となる。
【００４９】
また、本実施の形態では、１２セグと１セグの両方を蓄積したコンテンツについて、必ず１セグコンテンツを先に転送してから１２セグコンテンツを転送するようにしたが、時間帯に応じて、転送方法を変えても良い。すなわち朝のようにすぐに外出することが想定される時間帯は１セグコンテンツ、１２セグコンテンツの順に転送し、夜間のように外出が想定されない時間帯は、１セグコンテンツを転送せずに始めから１２セグコンテンツを転送するといった転送方法が考えられる。また、時間帯ごとの転送方法はポータブル型再生装置２で利用者により設定可能にするのが好ましい。さらに、ポータブル型再生装置２がスケジュール機能を有する場合、利用者が設定したスケジュールに対応して転送方法を変更できるようにしてもよい。この場合には、据え置き型録画装置１とポータブル型再生装置２の接続状態に適した時間にコンテンツの転送が可能となる。
【００５０】
また、本実施の形態では、１２セグと１セグの両方を蓄積したコンテンツについて、必ず１セグコンテンツを先に転送してから１２セグコンテンツを転送するようにしたが、据え置き型録画機器１でのコンテンツの視聴状況に応じて、転送方法を変えても良い。すなわち、視聴済みのコンテンツは１セグコンテンツを転送せずに始めから１２セグコンテンツを転送するといった転送方法が考えられる。
【００５１】
また、本実施の形態では、ポータブル型再生装置２からコンテンツの転送を据え置き型録画装置１へ要求したが、据え置き型録画装置１からポータブル型再生装置２へコンテンツ転送の問い合わせを行う方式でもよい。この場合、コンテンツ転送の判断は据え置き型録画装置１で処理することとなり、ポータブル型再生装置２の処理を低減することができる。
【産業上の利用可能性】
【００５２】
本発明は、地上デジタル放送を録画する際に、１２セグメントコンテンツだけでなく、１セグメントコンテンツも蓄積しておき、ポータブル型再生装置が接続された際に、始めに１セグメントコンテンツを全て転送し、その後１２セグメントコンテンツを転送する。これにより、１セグメントコンテンツが転送し終わった時点で、据え置き型録画装置と同じコンテンツが全てポータブル型再生装置でも再生可能になり、短時間で据え置き型録画装置と同じコンテンツをポータブル型再生装置に転送できるという効果を有し、コンテンツ転送システム等に有用である。
【図面の簡単な説明】
【００５３】
【図１】本実施の形態に係るコンテンツ転送システムのシステム構成（装置構成）を示す図
【図２】本実施の形態における据え置き型録画装置のハードウェア構成を示す図
【図３】本実施の形態におけるポータブル型再生装置のハードウェア構成を示す図
【図４】本実施の形態における放送コンテンツ録画処理の流れを示す図
【図５】本実施の形態におけるコンテンツ管理データを例示する図
【図６】本実施の形態におけるコンテンツ転送処理の機能ブロックを示す図
【図７】本実施の形態におけるコンテンツ転送処理の流れを示す図
【図８】本実施の形態における一次転送完了表示を例示する図
【図９】本実施の形態における転送完了表示を例示する図
【符号の説明】
【００５４】
１    据え置き型録画装置
２    ポータブル型再生装置
２１、３１    ＣＰＵ
２２、３２    ＲＯＭ
２３、３３    ＲＡＭ
２４、３４    ＨＤＤ
２５、３５    映像ＩＣ
２６、３６    音声ＩＣ
２７    チューナ
２８、３７    転送インターフェース
２９、３８    入力デバイス
３０、３９    出力デバイス
【図１】
2009177567.tif 000003
【図２】
2009177567.tif 000004
【図３】
2009177567.tif 000005
【図４】
2009177567.tif 000006
【図５】
2009177567.tif 000007
【図６】
2009177567.tif 000008
【図７】
2009177567.tif 000009
【図８】
2009177567.tif 000010
【図９】
2009177567.tif 000011